(57)【要約】      （修正有）【課題】ブラダの破損を防止するとともに、アキュムレータの性能の低下を防止するブラダ型アキュームレータを提供する。【解決手段】容器本体１と、容器本体内を液体室５と気体室７に仕切るブラダ３と、容器本体の底部に設けられ、弁体１１が配設されているオイルポート１２と、を備えたブラダ型アキュムレータＡＣＣにおいて、容器本体１の底部とオイルポートとの嵌合部３０に、はみ出し防止リング２５を配設する。尚、はみ出し防止リング２５は、円筒部２５ａと、円筒部２５ａの下端、上端及び下端又は中央部から突出する係止部２５ｂを備えるものとすることができる。【選択図】図１
0003198718.tif 000002
【実用新案登録請求の範囲】
【請求項１】
容器本体と、前記容器本体内を液体室と気体室に仕切るブラダと、前記容器本体の底部に設けられ、弁体が配設されているオイルポートと、を備えたブラダ型アキュムレータにおいて、
前記容器本体の底部と前記オイルポートとの嵌合部に、はみ出し防止リングを配設したことを特徴とするブラダ型アキュムレータ。
【請求項２】
前記はみ出し防止リングは、円筒部と、該円筒部の下端から内方に突出する下係止部と、を備えていることを特徴とする請求項１記載のブラダ型アキュムレータ。
【請求項３】
前記はみ出し防止リングは、円筒部と、該円筒部の上端及び下端から内方に突出する一対の上及び下係止部と、を備えていることを特徴とする請求項１記載のブラダ型アキュムレータ。
【請求項４】
前記はみ出し防止リングは、円筒部と、該円筒部の中央部から内方に突出する中央係止部と、を備えていることを特徴とする請求項１記載のブラダ型アキュムレータ。
【請求項５】
前記はみ出し防止リングは、円筒部と、該円筒部の上部内面に設けたテーパー部と、を備えていることを特徴とする請求項１記載のブラダ型アキュムレータ。
【考案の詳細な説明】
【技術分野】
【０００１】
この考案は、液圧回路などに設けられるブラダ型アキュムレータに関するものであり、更に述べると、ブラダの破損を防止できるブラダ型アキュムレータに関するものである。
【背景技術】
【０００２】
ブラダ型アキュムレータは、図６に示すように、ブラダ３を内蔵する容器本体１と、該容器本体１の底部に配設されるオイルポート（「液体出入口」、とも言う）と、該オイルポートを開閉する弁体（「ポペット」、とも言う）１１と、前記容器本体１の頭部に配設される気体出入口と、該気体出入口に設けられた給気弁と、を備えているとともに、前記ポペット１１の頭部上面にはクッションカップＣが配設されている。このクッションカップＣは、ゴムや合成樹脂等の弾性部材により円錐台状、又は、皿状に、かつ、前記ポペット１１の径より大径に形成されている。
【０００３】
前記アキュムレータＡＣＣでは、作動していないときには、ブラダ３は大きく膨張しており、該ブラダ３の底部がクッションカップＣ及びポペット１１を押圧し、該ポペット１１を着座させるとともに、前記底部は、クッションカップＣの表面及び容器本体１の底部の内面に密着する。この時、前記容器本体１の底部とオイルポート間の嵌合部３０は、前記クッションカップＣにより閉じられているので、前記ブラダ３の底部が前記嵌合部３０の嵌合隙間Ｗへはみ出すのを防止することができる（例えば、特許文献１、参照）。
【先行技術文献】
【特許文献】
【０００４】
【特許文献１】実開平０９−１００８０１号公報
【考案の概要】
【考案が解決しようとする課題】
【０００５】
近年、吐出流量の高流量化が要求される様になっているが、容器本体１内にクッションカップＣが配設されていると、流体吐出時において大きな抵抗となり、高流量を迅速に吐き出すことが困難となる。そのため、液圧回路の液圧変動に迅速に対応できなくなるので、アキュムレータの性能が低下してしまう。
【０００６】
この考案は、上記事情に鑑み、ブラダの破損を防止するとともに、アキュムレータの性能の低下を防止することを目的とする。
【課題を解決するための手段】
【０００７】
この考案は、容器本体と、前記容器本体内を液体室と気体室に仕切るブラダと、前記容器本体の底部に設けられ、弁体が配設されているオイルポートと、を備えたブラダ型アキュムレータにおいて、前記容器本体の底部と前記オイルポートとの嵌合部にはみ出し防止リングを設けたことを特徴とする。
【０００８】
この考案の前記はみ出し防止リングは、円筒部と、該円筒部の下端から内方に突出する下係合部と、を備えていることを特徴とする。この考案の前記はみ出し防止リングは、円筒部と、該円筒部の上及び下から内方に突出する一対の上下係合部と、を備えていることを特徴とする。
【０００９】
この考案の前記はみ出し防止リングは、円筒部と、該円筒部の中央部から内方に突出する中央係合部と、を備えていることを特徴とする。この考案の前記はみ出し防止リングは、円筒部と、該円筒部の上部内面に設けたテーパー部と、を備えていることを特徴とする。
【考案の効果】
【００１０】
この考案は、容器本体の底部とオイルポートとの嵌合部に、嵌合隙間を塞ぐはみ出し防止リングが配設されているので、アキュムレータが作用していないときに、ブラダが弁体を押圧して容器本体の底部内面に圧接しても、該ブラダの底部は嵌合部の嵌合隙間に入り込むことは無い。従って、前記ブラダの破損を防止することができる。又、従来例と異なり、液体吐き出し時に抵抗となるクッションカップを除去したので、高流量を迅速に吐き出すことができる。そのため、アキュムレータの性能を向上させることができる。
【図面の簡単な説明】
【００１１】
【図１】本考案の第１実施形態を示す図で、オイルポートが開いている状態を示す要部縦断面図である。
【図２】本考案の第１実施形態を示す図で、オイルポートが閉じられている状態を示す要部縦断面図である。
【図３】本考案の第２実施形態を示す要部縦断面図である。
【図４】本考案の第３実施形態を示す要部縦断面図である。
【図５】本考案の第４実施形態を示す要部縦断面図である。
【図６】従来例を示す要部拡大縦断面図である。
【考案を実施するための形態】
【００１２】
本考案の第1実施形態を図１〜図２により説明する。ブラダ型アキュムレータＡＣＣは、ブラダ３を内蔵しており、該ブラダ３は、容器本体１内を気体室５と液体室７とに仕切っている。
【００１３】
前記ブラダ３は、ゴムや合成樹脂等の弾性材により袋体状に形成され、胴部の一端側にはフランジ付き開口部を備え、他端側には、内面に突起９の付いた底部３ａを備えている。
【００１４】
オイルポート（流体出入口）１２には、弁体（ポペット）１１が配設されているが、該ポペット１１は、筒状支持部材１４により保持されている。前記筒状支持部材１４は、嵌合筒部１８と、螺条筒部２０と、ガイドストッパ部２２と、を備えている。
【００１５】
前記嵌合筒部１８は、容器本体１の底部１Ａ内面に形成した嵌合溝１６に嵌着され、前記螺条筒部２０は、前記嵌合筒部１８と連続して形成され、オイルポート１２の内面の螺合部に螺着される。前記ガイドストッパ部２２は、連結部材２１を介して前記螺条筒部２０の中心部に配設され、ポペット１１のロッド部の摺動を規制する。前記ポペット１１は、ばね部材２４により開方向に付勢されている。
【００１６】
なお、オイルポートの嵌合筒部を容器本体にねじで固定する代わりに、容器本体から突き出た部分をロックナットで固定しても良い。
【００１７】
前記嵌合溝１６と前記嵌合筒部１８との嵌合部３０の嵌合隙間Ｗには、はみ出し防止リング２５が配設されている。このはみ出し防止リング２５は、ゴムや樹脂などにより製造され、円筒部２５ａと該円筒部下端から内方に突出する下係合部２５ｂと、を備えている。前記はみ出し防止リング２５により前記嵌合部３０の嵌合隙間Ｗは塞がれている。
【００１８】
次に、本実施形態の作動について説明する。液圧回路（図示省略）には、ブラダ型アキュムレータＡＣＣが配設されている。アクチュエータなどの駆動により前記液圧回路の液圧が低下すると、気体室５内のガスが膨張するので、ブラダ３が膨張しながら変形する。そのため、前記液体室７内の液体は、ブラダ３に押圧されてオイルポート１２から前記液圧回路内に吐き出される。
【００１９】
更に、液圧が低下すると、ブラダ３の底部３ａはさらに膨張してポペット１１に当接するとともに、ばね部材２４のばね力に抗しながら該ポペット１１を押圧して着座させ、閉弁状態にする。
【００２０】
この時、ブラダの底部３ａは、図２に示す様に、容器本体１の底部１Ａの内面に密着するが、前記嵌合部３０には、はみ出し防止リング２５が配設されているので、嵌合隙間Ｗが塞がれている。そのため、ブラダ３の底部３ａが嵌合隙間Ｗにはみ出すことが無いので、ブラダ３の破損を防止することができる。
【００２１】
前述の様に、はみ出し防止リング２５を設けることにより、ブラダの破損を防止できるので、従来例のクッションカップを省略することができる。そのため、クッションカップの抵抗により吐出し流量が規制されることがないので、アキュムレータの機能を低下させることなく、吐出流量の高流量化を図ることができる。
【００２２】
この考案の第２実施形態を図３により説明するが、図１と同一面符号は、その名称も機能も同一である。
【００２３】
本実施形態と第１実施形態との相違点は、み出し防止リング２５の形状が異なることである。本実施形態では、はみ出し防止リング２５Ａは、円筒部２５ａと、該円筒部２５ａの上下端から内方に突出する上下一対の上下係止部２５ｂ、２５ｃと、を備えている。
【００２４】
この考案の第３実施形態を図４により説明するが、図１〜図３と同一面符号は、その名称も機能も同一である。
【００２５】
本実施形態と第１実施形態との相違点は、み出し防止リング２５の形状が異なることである。本実施形態では、はみ出し防止リング２５Ｂは、円筒部２５ａと、該円筒部２５ａの中央部から内方に突出する中央係止部２５ｄと、を備えている。
【００２６】
この考案の第４実施形態を図５により説明するが、図１〜図３と同一面符号は、その名称も機能も同一である。
【００２７】
本実施形態と第１実施形態との相違点は、はみ出し防止リング２５の形状が異なることである。本実施形態では、はみ出し防止リング２５Ｃの円筒部２５ａは、第１実施形態の円筒部２５ａより肉厚に形成され、その上部内面にテーパー部２５ｅを備えている。
【符号の説明】
【００２８】
１    容器本体
１Ａ  容器本体の底部
３    ブラダ
３ａ  ブラダの底部
１１  弁体
１２  オイルポート
１４  筒状支持部材
１６  嵌合溝
１８  嵌合筒
２５  はみ出し防止リング
３０  嵌合部
Ｗ    嵌合隙間
【図１】
0003198718.tif 000003
【図２】
0003198718.tif 000004
【図３】
0003198718.tif 000005
【図４】
0003198718.tif 000006
【図５】
0003198718.tif 000007
【図６】
0003198718.tif 000008